(57)【要約】【課題】  可視光以外の光を用いること無く、不可視画像の印刷位置を確認できるようにする。【解決手段】  可視光下で目視或いは読取可能なイエローインク２２Ｙによって印刷された目印画像４４ａと、この目印画像４４ａと特定の位置関係を有し、可視光で目視或いは読取りできない蛍光インク２２Ｋによって印刷され、目印画像４４ａの位置に基づいて存在位置が確認されるステルス画像４４とを具備する。【選択図】      図８
2005132027.tif 000002
【特許請求の範囲】
【請求項１】
可視光下で目視或いは読取可能な色剤によって印刷された可視画像と、
この可視画像と特定の位置関係を有し、可視光で目視或いは読取りできない色剤によって印刷され、前記可視画像の位置に基づいて存在位置が確認される不可視画像と
を具備することを特徴とする印刷物。
【請求項２】
可視光下で目視或いは読取可能な第１の色剤と、この第１の色剤と特定の位置関係を有し可視光下で目視或いは読取できない第２の色剤とを備える転写材と、
この転写材を介して印刷物に圧接し、前記転写材の第１及び第２の色剤を前記印刷物に共に転写して可視画像及び不可視画像を印刷する印刷ヘッドと
を具備することを特徴とする印刷装置。
【請求項３】
可視光下で目視或いは読取可能な第１の色剤と、この第１の色剤と特定の位置関係を有し可視光下で目視或いは読取できない第２の色剤とを備える転写材と、
この転写材に重ね合わされる中間転写材と、
前記転写材を介して前記中間転写材に圧接され、前記転写材の第１及び第２の色剤を前記中間転写材に共に転写して可視画像及び不可視画像を印刷する印刷ヘッドと、
前記中間転写材に印刷された可視画像及び不可視画像を印刷物に転写する転写手段と
を具備することを特徴とする印刷装置。
【請求項４】
可視光下で目視或いは読取可能な第１の色剤と、この第１の色剤と特定の位置関係を有し可視光下で目視或いは読取できない第２の色剤とを備える転写材と、
この転写材を介して印刷物に圧接し、前記転写材の第１及び第２の色剤を前記印刷物に共に転写して可視画像及び不可視画像を印刷する印刷ヘッドと、
この印刷ヘッドにより印刷された可視画像の位置を読み取る読取手段と、
この読取手段の読取情報に基づいて前記不可視画像が正規の位置に印刷されたか否かを判別する判別手段と、
を具備することを特徴とする印刷装置。
【請求項５】
可視光下で目視或いは読取可能な第１の色剤と、この第１の色剤と特定の位置関係を有し可視光下で目視或いは読取できない第２の色剤とを備える転写材と、
この転写材に重ね合わされる中間転写材と、
前記転写材を介して前記中間転写材に圧接され、前記転写材の第１及び第２の色剤を前記中間転写材に共に転写して可視画像及び不可視画像を印刷する印刷ヘッドと、
前記中間転写材に印刷された可視画像及び不可視画像を印刷物に転写する転写手段と、
この転写手段により転写された可視画像の位置を読み取る読取手段と、
この読取手段の読取情報に基づいて前記不可視画像が正規の位置に印刷されたか否かを判別する判別手段と
を具備することを特徴とする印刷装置。
【請求項６】
前記第１及び第２の色剤は前記転写材の同一画面に分割して塗布されたことを特徴とする請求項２乃至５の何れか一項に記載の印刷装置。
【請求項７】
前記第２の色剤は蛍光インクであることを特徴とする請求項２乃至５の何れか一項に記載の印刷装置。
【請求項８】
可視光下で目視或いは読取可能な第１の色剤と、この第１の色剤と特定の位置関係を有し可視光下で目視或いは読取できない第２の色剤とを備える転写材を介して印刷物に圧接し、前記転写材の第１及び第２の色剤を前記印刷物に共に転写して可視画像及び不可視画像を印刷する印刷工程と、
この印刷工程により印刷された可視画像の位置を読み取る読取工程と、
この読取工程によって読み取られた情報に基づいて前記不可視画像が正規の位置に印刷されたか否かを判別する判別工程と
を具備することを特徴とする印刷方法。
【発明の詳細な説明】
【技術分野】
【０００１】
本発明は、不可視画像の印刷位置を可視画像の位置で確認可能な印刷物と、それを印刷する印刷装置、及び印刷方法に関する。
【背景技術】
【０００２】
印刷装置には被転写材としてインクリボンを用いるものがある。このインクリボンを用いる印刷装置には黒色リボン（単色リボン）を用いて画像を白黒印刷をするもの、或いは色の３原色のリボン（イエロー、シアン、マゼンタ）を用いて画像をカラー印刷をするものがある。特殊なものとして、金色、銀色のインクリボンを用いて、金色、銀色の画像を印刷する装置も実用化されている。
【０００３】
一方、近年においては、印刷物の偽変造防止を図るために、紫外光或いは赤外光等の可視光以外の光（以下、この光を「可視光以外の光」と称する）で発色するインクを用いて、可視光下で見えない画像を印刷する場合がある（以下、この印刷を不可視画像と称する）。
【０００４】
また、インクリボンを用いる印刷における画像の印刷位置は、インクリボンの画面位置検出と、印刷対象物の位置検出とで制御されている（単色リボンの場合は、リボンの画面位置検出が省略される場合もある）。
【０００５】
ところで、この位置検出において何らかの理由により、誤動作が生じた場合には、印刷位置がずれて画像が印刷されてしまう。また、位置検出で誤動作が生じなかった場合でも、印刷中の印刷対象物の挙動が乱れることにより、印刷位置がずれて画像が印刷されてしまう場合がある。
【０００６】
通常の印刷の場合は、上記の理由による印刷位置ずれが発生しても、目視で印刷位置のずれを確認し、印刷不良と判断することができた（例えば、特許文献１参照）。
【特許文献１】特開２００１−７１５４６号公報
【発明の開示】
【発明が解決しようとする課題】
【０００７】
しかしながら、不可視画像の印刷を行った場合では、不可視画像が正しい位置に印刷されているかどうかを確認するには、印刷物に可視光以外の光をあてて目視することが必要であり、可視光以外の光源を準備する必要があった。
【０００８】
可視光以外の光には、紫外線などのように目や皮膚など人体に悪影響を及ぼす光もあるため、これらを使用せずに不可視画像の印刷位置が確認できることが望まれていた。
【０００９】
本発明は上記事情に着目してなされたもので、その目的とするところは、可視光以外の光を用いること無く、不可視画像の印刷位置が確認できるようにした印刷物、印刷装置及び印刷方法を提供することにある。
【課題を解決するための手段】
【００１０】
上記課題を解決するため、請求項１記載のものは、可視光下で目視或いは読取可能な色剤によって印刷された可視画像と、この可視画像と特定の位置関係を有し、可視光で目視或いは読取りできない色剤によって印刷され、前記可視画像の位置に基づいて存在位置が確認される不可視画像とを具備する。
【００１１】
請求項２記載のものは、可視光下で目視或いは読取可能な第１の色剤と、この第１の色剤と特定の位置関係を有し可視光下で目視或いは読取できない第２の色剤とを備える転写材と、この転写材を介して印刷物に圧接し、前記転写材の第１及び第２の色剤を前記印刷物に共に転写して可視画像及び不可視画像を印刷する印刷ヘッドとを具備する。
【００１２】
請求項３記載のものは、可視光下で目視或いは読取可能な第１の色剤と、この第１の色剤と特定の位置関係を有し可視光下で目視或いは読取できない第２の色剤とを備える転写材と、この転写材に重ね合わされる中間転写材と、前記転写材を介して前記中間転写材に圧接され、前記転写材の第１及び第２の色剤を前記中間転写材に共に転写して可視画像及び不可視画像を印刷する印刷ヘッドと、前記中間転写材に印刷された可視画像及び不可視画像を印刷物に転写する転写手段とを具備する。
【００１３】
請求項４記載のものは、可視光下で目視或いは読取可能な第１の色剤と、この第１の色剤と特定の位置関係を有し可視光下で目視或いは読取できない第２の色剤とを備える転写材と、この転写材を介して印刷物に圧接し、前記転写材の第１及び第２の色剤を前記印刷物に共に転写して可視画像及び不可視画像を印刷する印刷ヘッドと、この印刷ヘッドにより印刷された可視画像の位置を読み取る読取手段と、この読取手段の読取情報に基づいて前記不可視画像が正規の位置に印刷されたか否かを判別する判別手段とを具備する。
【００１４】
請求項５記載のものは、可視光下で目視或いは読取可能な第１の色剤と、この第１の色剤と特定の位置関係を有し可視光下で目視或いは読取できない第２の色剤とを備える転写材と、この転写材に重ね合わされる中間転写材と、前記転写材を介して前記中間転写材に圧接され、前記転写材の第１及び第２の色剤を前記中間転写材に共に転写して可視画像及び不可視画像を印刷する印刷ヘッドと、前記中間転写材に印刷された可視画像及び不可視画像を印刷物に転写する転写手段と、この転写手段により転写された可視画像の位置を読み取る読取手段と、この読取手段の読取情報に基づいて前記不可視画像が正規の位置に印刷されたか否かを判別する判別手段とを具備する。
【００１５】
請求項８記載のものは、可視光下で目視或いは読取可能な第１の色剤と、この第１の色剤と特定の位置関係を有し可視光下で目視或いは読取できない第２の色剤とを備える転写材を介して印刷物に圧接し、前記転写材の第１及び第２の色剤を前記印刷物に共に転写して可視画像及び不可視画像を印刷する印刷工程と、この印刷工程により印刷された可視画像の位置を読み取る読取工程と、この読取工程によって読み取られた情報に基づいて前記不可視画像が正規の位置に印刷されたか否かを判別する判別工程とを具備する。
【発明の効果】
【００１６】
本発明によれば、不可視画像の印刷位置の確認を、可視画像の印刷位置の確認で代用することができ、可視光以外の光を使わずに、可視光下での確認を可能とする。
【発明を実施するための最良の形態】
【００１７】
以下、本発明を図面に示す実施の形態を参照して詳細に説明する。  
図１は本発明の一実施の形態である通帳類印刷装置１を示す全体構成図である。
【００１８】
この通帳類印刷装置１は通帳類取込部４を備え、この通帳類取込部４には印刷物としての通帳類Ｔが閉じた状態で複数冊積層されてセットされ、一冊ずつ取り込まれるようになっている。この取込まれた通帳類Ｔは搬送手段としての複数個の搬送ローラ対２によって搬送路３に沿って搬送される。搬送路３中には通帳類Ｔの搬送方向に沿って第１のＯＣＲ読取部５、ページ捲り部６、直接印刷部７、印刷装置としての中間転写印刷装置８、読取手段としての第２のＯＣＲ読取部９、折畳み部１４、及び無線ＩＣ Ｒ／Ｗユニット１０が配設されている。
【００１９】
また、搬送路３の排出端側には通帳類Ｔの排出方向を第１の方向と第２の方向に切り換える排出ゲート１１が設けられ、第１の方向には正常な通帳類Ｔを集積させる正常集積部１２、第２の方向には不良な通帳類を集積させる不良集積部１３が配設されている。
【００２０】
図２は、上記した中間転写印刷装置８を示すものである。
【００２１】
中間転写印刷装置８は機能的に情報印刷部（以下、印刷部という）１６と、転写手段としてのオーバーコート転写部（以下、転写部という）１７とを有して構成されている。
【００２２】
印刷部１６としては熱溶融転写印刷方式のものが採用されている。即ち、印刷ヘッドとしてのサーマルヘッド１９とプラテンローラ２０に挟まれるように中間転写材としての中間転写フィルム２１と転写材としての溶融インクリボン２２を配置し、これら中間転写フィルム２１と溶融インクリボン２２によって中間転写フィルム２１の表面に情報等を印刷する。
【００２３】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２４】
溶融インクリボン２２のベースフィルム厚やインク層厚は、印刷ドット再現性に極めて重要なパラメータであり、インクリボン総厚としては３〜２５μｍであり、望ましくは４〜１０μｍである。
【００２５】
一方、中間転写フィルム２１の後述するベースフィルムの厚さや、受像兼接着総厚は、接着性や膜切れ特性に影響を与えるパラメータであり、中間転写フィルム２１の総厚は、１０〜１００μｍであり、望ましくは２５〜５０μｍである。
【００２６】
プラテンローラ２０は硬質のゴム材料を表面に用いたローラで、ゴム硬度が上がるほどに微小ドットの再現性が向上するが、一方では最適なプラテンローラ２０とサーマルヘッド１９の位置関係を得ることが難しくなる。このため、硬度は７５°以上、望ましくは８５〜９７°である。また、研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２７】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。
【００２８】
このため、プラテンローラ２０の下流（ヒートローラ側）直近に別途フィルム駆動ローラ２３を設ける。フィルム駆動ローラ２３は硬度３０〜６０度のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００２９】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。
【００３０】
フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３１】
転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３２】
図３（ａ）〜（ｃ）は中間転写フィルム２１の構成を示す断面図である。
【００３３】
図３（ａ）に示す中間転写フィルム２１は、基材としてのＰＥＴ（ポリエチレンテレフタレート）フィルム２６の表面に、透明樹脂によるホログラム形成層と金属化合物の蒸着層による透明ホログラム層２８、受像層兼接着層としてのポリエステル系樹脂２９を積層したものである。
【００３４】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３５】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３６】
図４は上記した通帳類取込部４にセットされる通帳類Ｔを開いた状態で示すものである。
【００３７】
この通帳類Ｔの開かれた表紙Ｔａの内面には通帳類固有情報としての通帳類固有番号４２が記録されているとともに、無線ＩＣ４３が内蔵されている。
【００３８】
図５は上記した通帳類印刷装置１の駆動制御系を示すブロック図である。
【００３９】
図中５１はデータ入力制御部で、このデータ入力制御部５１に印刷装置１が接続されている。データ入力制御部５１には主制御部５２が設けられ、この主制御部５２には制御回路を介してメモリ５３、インターフエース部５４、操作パネル５５、及び画像入力部５６が接続されている。
【００４０】
印刷装置１には生成手段としての生成部５８ａ及び判別手段としての判別部５８ｂを有して構成される装置制御部５８が設けられ、この装置制御部５８には制御回路を介して直接印刷画像処理部６７、中間転写画像処理部６８、ヒータ温度制御部６０、通帳類搬送制御部６１、画像形成制御部６２、光学式文字認識部６９、無線読取／書込部７３が配設されている。
【００４１】
上記した直接印刷画像処理部６７にはサーマルヘッド７ａの印字動作を制御するヘッド制御部６３が接続されている。中間転写画像処理部６６にはサーマルヘッド１９の印字動作を制御するヘッド制御部６４が接続されている。
【００４２】
ヒータ温度制御部６０には制御回路を介してヒートローラ３５のヒータ６５が接続されている。通帳類搬送制御部６１には制御回路を介して通帳類搬送機構２ａ、通帳類取込機構４ａ、ページ検知部４ｂ、ページ捲り機構６ａ及び排出ゲート制御部１１ａが接続されている。
【００４３】
画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。
【００４４】
光学式文字認識部６９には第１及び第２の読取り光学系５，９が接続されている。無線ＩＣ読取／書込部７３には、無線ＩＣ Ｒ／Ｗユニット１０が接続されている。
【００４５】
次に、上記したように構成される通帳類印刷装置１の動作について説明する。
【００４６】
まず、図１に示す通帳類取込部４から通帳類Ｔが１冊のみ取出されてページめくり部６に搬送され（搬送工程）、ここで、通帳類Ｔの表紙が捲られて所定のページが開いた状態となる。この後、第１のＯＣＲ読取部５で通帳類Ｔそれぞれに付与されている固有情報４２が読み取られ（読取工程）、後で述べるように認識処理される。この認識処理された固有情報４２は、セキュリティ情報に追加され、サーマルヘッド１９に転送される黒印刷データとされる。
【００４７】
一方、このときには、図２に示すように送出側リール３２から中間転写フィルム２１が繰り出され、そのホログラム位置を示すマークがセンサ３３によって検知される。このマーク検知結果を用いて中間転写フィルム２１が印刷開始位置に制御される。
【００４８】
ついで、中間転写フィルム２１の所定の位置に固有印刷情報（以下、セキュリティ情報という）等がサーマルヘッド１９により印刷される。印刷される情報は後述するようにＹ（イエロー），Ｍ（マゼンタ），Ｃ（シアン）の三原色のインクに加えて黒インクの４色重ね合せによるカラー印刷である。これら複数色の重ね合わせ印刷は、中間転写フィルム２１がサーマルヘッド１９を色数と同じ回数往復することで、重ね合わせ印刷が行われる。また、印刷される情報は、反転画像であるという特徴がある。
【００４９】
このようにセキュリティ情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００５０】
また、このとき通帳類Ｔは、転写されるページが開かれた状態で図６（ｂ）に示すように取り込まれて、ヒートローラ３５に対して決められた位置に搬送される。転写されるページは、表紙見返しページでも、他の中紙ページでもかまわない。
【００５１】
このように互いに位置決めされた中間転写フィルム２１と通帳類Ｔの該当ベージは、図６（ｃ）に示すように円周の一部が切り欠かれた形状の金属製ヒートローラ３５の回転と共に重ね合わされ、搬送と共に加圧加熱される。その後、図７に示すように通帳類Ｔに対して６０°〜１１０°の角度をもって転写フィルムベース２６が引き上げられて、セキュリティ情報４６と受像兼接着層２９、ホログラム層２８の転写が完了し、図８に示すように固有情報４２、固有情報４２を含むセキュリティ情報４６及び所持人の顔画像４４が転写印刷される（印刷工程）。転写印刷が完了した通帳類Ｔは、図６（ｄ）に示すようにページが開かれた状態のまま次の第２のＯＣＲ読取部９に搬送される。
【００５２】
一方、上記した第１のＯＣＲ読取部５で読み取られた通帳類Ｔの固有情報４２（この場合は文字）は光学式文字認識部６９で認識され、この認識結果が印刷装置制御部５８に送信される。印刷装置制御部５８では、データ入力制御部５０から送られてくる画像入力部５６で取得された所持人の顔画像データ、操作パネル５５で入力された所持人のセキュリティ文字情報などに通帳類固有の文字情報に基づいた印刷データを加えて処理を行い、生成部５８ａで印刷データを生成し（生成工程）、中間転写画像処理部６８に送信する。これにより、通帳類固有情報４２ａが付与されたセキュリティ情報４６が中間転写フィルム２１の表面に印刷される。この通帳類固有情報４２ａとセキュリティ情報４６は通帳類Ｔに転写されて上記したように第２のＯＣＲ読取部９に搬送されて読み取られる。この読み取られた固有情報４２ａとセキュリティ情報４６とは光学式文字認識部６９で認識され、この認識結果が印刷装置制御部５８に送信される。印刷装置制御部５８では、判別部５８ｂでデータの照合処理を行い（判別工程）、判断した結果を通帳類搬送制御部６１に送信する。
【００５３】
判別部５８ｂでのデータの照合結果で不良と判断された場合には、印刷装置制御部５８からデータ入力制御部５０に対し、作成した通帳類が不良であったことを通知する。データ入力制御部５０では作成された通帳類が不良であったという通知を受信することに基づいて再度同一の印刷処理命令を印刷装置制御部５８に送信し、自動的に通帳類の再作成を行わせる。
【００５４】
通帳類搬送・制御部６１では照合の結果から、正常通帳類であれば正常通帳類集積部１２へ、不良通帳類であれば不良通帳類集積部１３へ搬送制御を行うが、判別部５８ｂでの照合結果で不良と判断した場合は、無線ＩＣ Ｒ／Ｗユニット１０にて、不良通帳類であることを知らせる旨のデータを通帳類Ｔの無線ＩＣ４３に記録する。
【００５５】
また、判別部５８ｂでのデータの照合結果が正しかった場合には、上述した中間転写印刷装置８の印刷動作で説明したように、第１のＯＣＲ読取部５で読み取った通帳類固有情報４２を光学式文字認識部６９が認識し、その認識結果を印刷装置制御部５８に送信している。従って、印刷装置制御部５８では、データ入力制御部５０から送られてきた、画像入力部５６で取得された所持人の顔画像データ、操作パネル５５で入力された所持人のセキュリティ文字情報などに通帳類固有の文字情報に基づいた記録データを加えて処理を行い、無線ＩＣへの記録データを生成し、無線ＩＣ Ｒ／Ｗ制御部７３に送信する。これにより、通帳類固有情報が付与されたセキュリティ情報が無線ＩＣＲ／Ｗユニット１０にて通帳類Ｔの無線ＩＣ４３に記録（書き込み）される。
【００５６】
ところで、上記した中間転写印刷装置８で用いられる溶融インクリボン２２は図９に示すように構成されている。
【００５７】
即ち、溶融インクリボン２２には可視光下で目視或いは読取可能な第１の色剤としての黒インク２２Ｂ、イエローインク２２Ｙ、マゼンタインク２２Ｍ、シアンインク２２Ｃが溶融インクリボン２２の巻き取り方向に沿って繰り返し塗布されている。２２Ｓは溶融インクリボン２２を中間転写フィルム２１に接着して位置決めするための接着層である。
【００５８】
また、溶融インクリボン２２のイエローインク２２Ｙが塗布される画面には可視光下で目視或いは読取りができない第２の色剤としての蛍光インク２２Ｋが塗布されている。蛍光インク２２Ｋは可視光では発光せず、可視光以外の光で発光するものである。イエローインク２２Ｙと蛍光インク２２Ｋとは同一画面を２分割して隣接する状態で塗布されている。
【００５９】
上記した印刷時において図８に示すように通帳類Ｔに印刷される顔画像４４は蛍光インク２２Ｋを用いて印刷されている。従って、顔画像４４は可視光下では目視できず、印刷物の偽変造の防止を可能ならしめている。この顔画像（以下、ステルス画像と称する）４４の印刷時には蛍光インク２２Ｋと同一画面に塗布されているイエローインク２２Ｙが共に転写されて図８に示すように十字状の可視画像（以下、目印画像と称する）４４ａが平行して印刷される。目印画像４４ａはステルス画像４４と隣接する状態で特定の位置関係を有して印刷される。従って、目印画像４４ａを目視することにより、ステルス画像４４の位置を確認することができるようになっている。
【００６０】
また、印刷後、通帳類Ｔは第２のＯＣＲ読取部９に搬送されるが、この第２のＯＣＲ読取部９では目印画像４４ａが可視光で読み取られる。この目印画像４４ａの読取情報は光学式文字認識部６９で認識され、この認識結果が印刷装置制御部５８に送信される。印刷装置制御部５８では、判別部５８ｂで目印画像４４ａが正規の位置にあるか否かを判別し（判別工程）、判別した結果を通帳類搬送制御部６１に送信する。
【００６１】
通帳類搬送・制御部６１では判別部５８ｂの判別結果に基づいて、即ち、目印画像４４ａが正規の位置にあると判断された場合には、ステルス画像４４も正規の位置にあると判断して正常通帳類集積部１２へ搬送し、目印画像４４ａが正規の位置にないと判断した場合には、ステルス画像４４も正規の位置にないと判断して不良通帳類集積部１３へ搬送制御する。
【００６２】
なお、ステルス画像４４が正規位置にないと判断した場合には、通帳類Ｔをすぐさま不良通帳集積部１３に搬送集積するのではなく、無線ＩＣ Ｒ／Ｗ部１０にて不良通帳類であることを知らせる旨のデータを通帳類Ｔの無線ＩＣ４３に記録してから不良通帳集積部１３に搬送集積する。
【００６３】
上記したように、この実施の形態によれば、通帳類Ｔに対してステルス画像４４と目印画像４４ａを特定の位置関係を持たせて印刷するため、目印画像４４ａを目視或いは光学的に読取ることにより、ステルス画像４４の位置を確認することができる。
【００６４】
従って、ステルス画像４４に紫外線等を照射することなくその位置を確認することができ、安全であるとともに、紫外線等の光源も特別に必要がないため、コストを低減できるという利点を有する。
【００６５】
図１０乃至図１２は本発明の他の実施形態を示すものである。
【００６６】
上記した実施の形態では、カラーインクリボン２２を用いて通帳類Ｔに印刷したが、この実施の形態では、単色のインクリボン１０１を用いて印刷物としてのカード１０２にステルス画像１０４及び目印画像１０４ａを印刷する。
【００６７】
図１０は単色のインクリボン１０１を示す斜視図で、このインクリボン１０１には第１の色剤としての可視光下で見える黒インク１０１Ｂと、可視光下で見えない第２の色剤としての蛍光インク１０１Ｋがインクリボン１０１の巻取り方向に並列に塗布されている。
【００６８】
印刷時には、図１１に示すようにカード１０２が印刷ヘッド１０６とプラテンローラ１０７との間に向かって搬送され、印刷ヘッドとしてのサーマルヘッド１０６とプラテンローラ１０７との間に至ると、印刷ヘッド１０６がインクリボン１０１を介してカード１０２に押圧され、印刷ヘッド１０６が画像情報に応じて発熱することにより黒インク１０１Ｂがカード１０２に転写されて十字状の目印画像１０４ａが印刷されるとともに、蛍光インク１０１Ｋがカード１０２に転写されてステルス画像１０４が印刷される。
【００６９】
この実施形態においても、上記した実施形態と同様に、目印画像１０４ａを目視することにより、或いは第２のＯＣＲ読取部９で読み取ることにより、ステルス画像１０４の位置を確認することができる。
【００７０】
また、上記した各実施の形態では、目印画像４４ａ，１０４ａをステルス画像４４，１０４の横方向に隣接して印刷したが、これに限られることなく、目印画像４４ａ，１０４とステルス画像４４，１０４との位置関係が特定できれば、ステルス画像４４の上下方向、或いは、斜め方向に隣接する状態で印刷するものであってもよい。
【００７１】
さらに、目印画像４４ａ，１０４の形状としては十字状に限られるものではなく、丸形状や四角形状等であっても良い。
【００７２】
その他、本発明は、その要旨の範囲内で種々変形実施可能なことは勿論である。
【図面の簡単な説明】
【００７３】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で用いられる通帳類を開いた状態で示す平面図。
【図５】同通帳類印刷装置の制御部を示す制御ブロック図。
【図６】同転写印刷部の転写動作を示す図。
【図７】同転写印刷部の転写動作の一部を拡大して示す図。
【図８】同通帳類印刷装置で印刷された通帳類を示す平面図。
【図９】同転写印刷部で用いられる転写フィルムを示す平面図。
【図１０】本発明の他の実施形態であるインクリボンを示す斜視図。
【図１１】図１０のインクリボンを用いての印刷動作を示す斜視図。
【図１２】図１０のインクリボンを用いての印刷動作を示す斜視図。
【符号の説明】
【００７４】
１７…転写部（転写手段）、１９，１０４…サーマルヘッド（印刷ヘッド）、２１…中間転写フィルム（中間転写材）、２２Ｙ…イエローインク（第１の色剤）、２２Ｋ、１０１Ｋ…蛍光インク（第２の色剤）、２２…溶融インクリボン（転写材）、４４ａ，１０４ａ…目印画像（可視画像）、４４，１０４…ステルス画像（不可視画像）、５８ｂ…判別部（判別手段）、Ｔ…通帳類（印刷物）、１０２…カード（印刷物）。
【図１】
2005132027.tif 000003
【図２】
2005132027.tif 000004
【図３】
2005132027.tif 000005
【図４】
2005132027.tif 000006
【図５】
2005132027.tif 000007
【図６】
2005132027.tif 000008
【図７】
2005132027.tif 000009
【図８】
2005132027.tif 000010
【図９】
2005132027.tif 000011
【図１０】
2005132027.tif 000012
【図１１】
2005132027.tif 000013
【図１２】
2005132027.tif 000014